(57)【要約】  本発明は、携帯通信端末内の情報、及び携帯通信端末に関し、携帯通信端末内の関連情報を表示するための方法、及び携帯通信端末を提供する。本発明の方法は、携帯通信端末内に保存された連絡先情報を取得するステップと、前記連絡先情報に基づき携帯通信端末内のメディア情報を検索するとともに、前記連絡先情報に適合するメディア情報を取得するステップと、前記連絡先情報に適合したメディア情報を表示するステップとを備える。本発明に基づく方法及び端末は、携帯通信端末ユーザーが連絡先を介して前記連絡先に関連付けられたメディア情報を検索可能にするとともに、連絡先をメディア情報に関連付けることによって、メディア情報に関連するコンタクトの情報を、メディア情報を介して表示することをさらに可能にする。
2013513322.tif 000002
【特許請求の範囲】
【請求項１】
携帯通信端末内に保存された連絡先情報を取得するステップと、
前記連絡先情報に基づき、前記携帯通信端末内のメディア情報を検索するとともに、前記連絡先情報に適合するメディア情報を取得するステップと、
前記連絡先情報に適合したメディア情報を表示するステップとを備える携帯通信端末内の関連情報を表示するための方法。
【請求項２】
前記メディア情報保存時に、対応する連絡先情報を前記メディア情報内に保存するステップをさらに備え、前記対応する連絡先は１又は２以上の連絡先で有り得る請求項１に記載の方法。
【請求項３】
前記メディア情報内の対応する連絡先情報を編集するステップをさらに備える請求項２に記載の方法。
【請求項４】
前記メディア情報内の対応する連絡先情報を編集するステップは、
１又は２以上の他の連絡先情報を追加するステップか、
又は前記メディア情報内に保存された１又は２以上の連絡先情報を削除するステップか、
又は前記メディア情報内に保存された１又は２以上の連絡先情報を変更するステップかをさらに備える請求項３に記載の方法。
【請求項５】
前記メディア情報を介して、前記メディア情報内の対応する連絡先へ電話を開始する、又はショートメッセージを送信するステップをさらに備える請求項２に記載の方法。
【請求項６】
前記メディア情報は、写真、音声ファイル、ビデオファイル、及びメディアファイルデータベースのうち少なくとも１つを含む請求項１から５のいずれか１項に記載の方法。
【請求項７】
前記連絡先情報は、連絡先又は関連人物の氏名、ニックネーム、及び電話番号、又はそれらの全ての組み合わせを含む請求項１から５のいずれか１項に記載の方法。
【請求項８】
携帯通信端末内に保存された連絡先情報を取得するように構成される第一取得ユニットと、
前記連絡先情報に基づき、前記携帯通信端末内のメディア情報を検索するとともに、前記連絡先情報に適合するメディア情報を取得するように構成される第二取得ユニットと、
前記連絡先情報に適合するメディア情報を表示するように構成される表示ユニットとを備える携帯通信端末。
【請求項９】
メディア情報保存時に、対応する連絡先情報をメディア情報内に保存するように構成される記録ユニットをさらに備え、前記対応する連絡先は、１又は２以上の連絡先で有り得る請求項８に記載の携帯通信端末。
【請求項１０】
前記記録ユニットは、前記メディア情報内の対応する連絡先情報に行われた編集を受信するように構成される受信ユニットを備える請求項９に記載の携帯通信端末。
【請求項１１】
前記メディア情報を介して、前記メディア情報内の対応する連絡先へ電話を開始する、又はショートメッセージを送信するように構成される通信ユニットをさらに備える請求項９に記載の携帯通信端末。
【発明の詳細な説明】
【技術分野】
【０００１】
本出願は、中国特許庁へ２００９年１２月７日に出願された発明の名称を“Method for displaying related information and mobile communication terminal”として中国特許庁出願番号200910188636.2の優先権を主張する。前記出願を引用することにより、その全てが本明細書に組み込まれる。
【０００２】
本発明は携帯通信に関し、特に関連情報の表示方法、及び携帯通信端末に関する。
【背景技術】
【０００３】
近年、携帯電話などのマルチメディア携帯通信端末は、ますます普及してきている。現在、携帯電話は、関連する画像、着信音声、又は着信ビデオをそれぞれの連絡先(contact)に関連付けることが可能であり、かつ連絡先からの電話があると、対応する着信音声及びビデオが再生され、及び／又は対応する画像が表示される。
【発明の概要】
【発明が解決しようとする課題】
【０００４】
しかし上記の設計では、携帯電話ユーザーは、特定の連絡先に関連付けられた画像及び音声／ビデオファイルを含む全メディアファイルを電話帳を介して検索、閲覧、及び管理することができない。一方で携帯ユーザーは、連絡先に関連付けられた画像、又は音声／ビデオファイルを、連絡先を介して閲覧することができるのみで、メディアファイルを閲覧時に、メディアファイルに関連付けられた連絡先情報を閲覧することができない。
【０００５】
本発明の実施形態の主要な目的は、携帯通信端末での関連情報の表示方法、及び携帯通信端末を提供することであり、前記方法及び端末は、携帯端末ユーザーが連絡先に関連付けられたメディア情報を連絡先を介して検索することを可能にするとともに、メディア情報に関連付けられた連絡先情報をメディア情報を介して閲覧することをさらに可能にする。
【課題を解決するための手段】
【０００６】
上記技術的問題を解決するために、本発明の実施形態に基づく一態様では、以下のステップを備える携帯通信端末での関連情報の表示方法が提供される。
【０００７】
前記携帯通信端末内に保存された連絡先情報を取得するステップ。
【０００８】
前記連絡先情報に基づいて、前記携帯通信端末内のメディア情報を検索するとともに、前記連絡先情報に適合するメディア情報を取得するステップ。
【０００９】
前記連絡先情報に適合するメディア情報を表示するステップ。
【００１０】
他の態様では、以下を備える携帯通信端末が提供される。
【００１１】
前記携帯通信端末内に保存された連絡先情報を取得するように構成された第一取得ユニット。
【００１２】
前記連絡先情報に基づいて、前記携帯通信端末内のメディア情報を検索するとともに、前記連絡先情報に適合するメディア情報を取得するように構成された第二取得ユニット。
【００１３】
前記連絡先情報に適合するメディア情報を表示するように構成された表示ユニット。
【００１４】
本発明の実施形態は、連絡先をメディア情報に関連付けることによって、携帯通信端末ユーザーが連絡先に関連付けられたメディア情報を連絡先を介して検索することを可能にするとともに、メディア情報に関連付けられた連絡先情報をメディア情報を介して閲覧することをさらに可能にすることが上記技術的解決方法から明らかである。
【００１５】
本発明の実施形態、又は先行技術の技術的特徴をより明確に説明するために、実施形態、及び先行技術の説明において必要な添付の図面を簡単に説明する。以下で説明される添付の図面は、明らかに単なる本発明のいくつかの実施形態であり、当業者は、これらの添付の図面に基づいて、貢献的創作努力を必要とすることなしに他の実施形態をさらに得ることができる。
【図面の簡単な説明】
【００１６】
【図１】本発明の一実施形態に基づく方法の図である。
【図２】本発明の一実施形態に基づく携帯通信端末の図である。
【図３】本発明の一実施形態に基づく他の携帯通信端末の図である。
【図４】本発明の一実施形態に基づく他の携帯通信端末の図である。
【図５】本発明の一実施形態に基づく他の携帯通信端末の図である。
【発明を実施するための形態】
【００１７】
本発明の実施形態の技術的解決方法は、本発明の実施形態の添付の図面と共に以下で明確、かつ十分に説明される。明らかに記載される実施形態は、単に本発明の一実施形態の一部であり、全ての実施形態ではないことは明らかである。本発明の実施形態に基づき、当業者によって得られる貢献的創作努力を必要することなしに得られた全ての他の実施形態は、本発明の保護範囲に含まれる。
【００１８】
本発明の実施形態は、携帯通信端末での関連情報の表示方法、及び携帯通信端末を開示し、前記方法及び端末は、携帯通信端末ユーザーが連絡先に関連付けられたメディア情報を連絡先を介して検索することを可能にするとともに、連絡先をメディア情報に関連付けることによって、メディア情報に関連付けられた連絡先情報をメディア情報を介して閲覧することをさらに可能にする。
【００１９】
さらに本発明の実施形態は、以下で添付の図とともに詳細に説明される。より明確に説明するために、実施形態は、携帯電話の例を用いることによって具体的に説明される。
【００２０】
図１では、本発明の一実施形態に基づく方法のフローチャートが図示される。
【００２１】
１０１：連絡先情報を取得するステップ。
【００２２】
連絡先情報は、電話帳を介して取得することができ、前記連絡先情報は、連絡先又は関連人物の氏名、ニックネーム、及び電話番号のいずれか、またはそれらのすべての組み合わせであり得る。
【００２３】
１０２：前記連絡先情報に基づいて、メディア情報を検索するとともに、前記連絡先情報に適合するメディア情報を取得するステップ。
【００２４】
写真、音声ファイル、ビデオファイル、及びメディアファイルデータベースなどのメディア情報を記録する時、ユーザーは、メディア情報とともにメディア情報に関連付けられた連絡先の情報を記録することができる。前記連絡先の情報は、最新に追加されたメディア情報の領域に記録され得る。例えば、ＪＰＥＧ画像では、現在使用していない領域定義(field definition)、例えばＦＦ  ＡＣを連絡先領域として追加することができ、メディア情報に関連付けられた連絡先の情報を、前記領域内に記録することができる。前記領域のサイズは、自己定義(self-defined)なものであってよく、例えば６５５３５である。これは、１又は２以上の連絡先の情報を記録し得る。
【００２５】
ほとんどのマルチメディア携帯電話は、データベースによって携帯電話上で管理されたファイルを有する。一般的にデータベースは、ファイル名、ファイルタイプ、ファイルサイズ、作成日時、及び変更日時などのファイルの基本情報と、アーティストやアルバムなどのメディアファイルの特定の属性とを有する。“連絡先”領域は、前記データベースに追加することができ、メディアファイルに関連付けられた連絡先の情報を前記領域に記録することができる。
【００２６】
複数の連絡先が、１つのメディアファイルに対応してもよい。連絡先に関係していたメディアファイルでは、追加、修正、及び編集などの操作も、メディアファイルの前記連絡先領域内の連絡先情報に対して行われ得る。
【００２７】
連絡先情報を用いて、携帯電話ユーザーは、連絡先に関連付けられたメディア情報、例えば、連絡先に関連付けられたメディアファイルの名前、サイズ、作成日時、変更日時、及び簡単な説明などを見つけ出すことができる。
【００２８】
１０３：前記連絡先情報に適合するメディア情報を表示するステップ。
【００２９】
連絡先情報に適合したメディア情報を取得後、前記メディア情報は、予め決められたフォーマットで表示される。前記予め決められたフォーマットは、携帯電話のデフォルトの表示フォーマットであってもよいし、又は複数の事前に記録されたフォーマットに基づいて携帯電話ユーザーによって選択されかつ設定されてもよい。
【００３０】
本実施形態ではユーザーは、メディアファイル閲覧時に、メディアファイルを介してメディアファイルに関連付けられた連絡先情報をさらに閲覧することができるとともに、ユーザーは、関連付けられた連絡先へ電話を開始するか、またはショートメッセージを送信することが可能である。
【００３１】
例えば、ユーザーＡは、画像Ｂを閲覧し、画像Ｂを介して画像Ｂに関連付けられた連絡先情報Ｃ１〜Ｃｎを閲覧する。それとともにユーザーＡは、関連付け(association)を介して連絡先Ｃ１〜Ｃｎのグループへショートメッセージを送るか、又は連絡先Ｃ1〜Ｃｎのうち１人へ電話を開始することが可能である。
【００３２】
本発明の一実施形態に基づく方法は、連絡先をメディア情報に関連付けることによって、携帯通信端末ユーザーが連絡先に関連付けられたメディア情報を連絡先を介して検索することを可能にするとともに、メディア情報に関連付けられた連絡先情報をメディア情報を介して閲覧することをさらに可能にすることが上記技術的解決方法から明らかである。
【００３３】
図２では、本発明の一実施形態に基づく端末の図が示される。前記端末は、第一取得ユニット２０１と、第二取得ユニット２０２と、表示ユニット２０３とを備える。第一取得ユニットは、前記携帯通信端末内に保存された連絡先情報を取得するように構成される。第二取得ユニットは、前記連絡先情報に基づいて、携帯通信端末内のメディア情報を検索するとともに、連絡先情報に適合するメディア情報を取得するように構成される。表示ユニットは、前記連絡先情報に適合するメディア情報を表示するように構成される。
【００３４】
図３では、本発明の一実施形態に基づく他の端末は、記録ユニット３０１をさらに備え得る。前記記録ユニットは、メディア情報保存時に、対応する連絡先情報をメディア情報内に保存するように構成される。前記対応する連絡先は、１又は２以上の連絡先であってもよい
【００３５】
図４では、本発明の一実施形態に基づく他の端末の記録ユニットは、受信ユニット４０１をさらに備え得る。前記受信ユニットは、メディア情報内の対応する連絡先情報に行われた編集を受信するように構成される。
【００３６】
図５では、本発明の一実施形態に基づく他の端末は、通信ユニット５０１をさらに備え得る。前記通信ユニットは、メディア情報内の対応する連絡先に、メディア情報を介して電話を開始する、又はショートメッセージを送信するように構成される。
【００３７】
以下では本発明に基づく携帯通信端末の実施形態が、連絡先Ａを写真Ｂ１〜Ｂｎと、音声Ｃ１〜Ｃｎと、ビデオＤ１〜Ｄｎとに関連付ける携帯電話ユーザーを例にとって具体的に説明される。
【００３８】
携帯電話ユーザーは、記録ユニット３０１によって写真Ｂ１〜Ｂｎと、音声Ｃ１〜Ｃｎと、ビデオＤ１〜Ｄｎとを連絡先Ａに関連付ける。写真Ｂ１〜Ｂｎと、音声Ｃ１〜Ｃｎと、ビデオＤ１〜Ｄｎとを連絡先Ａに関連付ける時、ユーザーは、写真Ｂ１〜Ｂｎと、音声Ｃ１〜Ｃｎと、ビデオＤ１〜Ｄｎとを連絡先Ａの電話番号に関連付ける。連絡先Ａの電話番号が変更された時、携帯電話ユーザーは、受信ユニット４０１によって連絡先Ａの電話番号を編集するとともに、同時に、単に連絡先Ａの電話番号のみを有する関連付けモードから、連絡先Ａの電話番号と、名前とを有する関連付けモードに変更する。連絡先Ａに関連付けられた全てのメディアファイルを知りたい時、ユーザーは、第一取得ユニット２０１によって、連絡先Ａの電話番号などの連絡先Ａの情報を取得する。第二取得ユニットは、携帯電話内のメディアファイルを検索するとともに、連絡先Ａの電話番号に基づいて連絡先Ａの電話番号に適合するメディアファイルを取得する。表示ユニット２０３は、連絡先Ａの電話番号に適合したメディアファイルを表示する。
【００３９】
同時に、写真Ｂ１〜Ｂｎの閲覧時には、ユーザーは、写真Ｂ１〜Ｂｎによって連絡先Ａの電話番号を取得することができる。通信ユニット５０１は、写真Ｂ１〜Ｂｎに対応する連絡先Ａの電話番号を介して、連絡先Ａへ電話を開始するか、又はショートメッセージを送信することができる。
【００４０】
本発明に基づく端末の実施形態は、連絡先をメディア情報に関連付けることによって、携帯通信端末ユーザーが連絡先に関連付けられたメディア情報を連絡先を介して検索することを可能にするとともに、メディア情報に関連付けられた連絡先情報をメディア情報を介して閲覧することをさらに可能にすることが上記技術的解決方法から明らかである。
【００４１】
最後に上述の実施形態は、単に本発明の好ましい実施形態であり、本発明を限定することを意図しないことが説明される。上述の実施形態に関する詳細において本発明の実施形態が説明されてきたが、当業者は、上述の様々な実施形態において挙げられた技術的解決法の変更が可能であること、又はそれらの技術的特徴の一部への等価な置換が可能であること、及びそれらの変更又は置換が対応する技術的特徴の本質を本発明の様々な実施形態の趣旨及び範囲から逸脱させるものではないことを理解できる。
【符号の説明】
【００４２】
２０１  第一取得ユニット
２０２  第二取得ユニット
２０３  表示ユニット
４０１  受信ユニット
５０１  通信ユニット
【図１】
2013513322.tif 000003
【図２】
2013513322.tif 000004
【図３】
2013513322.tif 000005
【図４】
2013513322.tif 000006
【図５】
2013513322.tif 000007
【国際調査報告】
2013513322.tif 000008
2013513322.tif 000009
2013513322.tif 000010
2013513322.tif 000011